(57)【要約】【課題】２種類の装置間のカラーマッチングにおいて、分光分布特性の異なる装置間でも所定光源の観察条件下で高精度なマッチング画像が得られ、なおかつ光源の異なる観察条件下においても見た目の精度良好なカラーマッチング結果を得る色変換方法を提供すること。【解決手段】第２のカラー出力装置からの出力色が、第１のカラー出力装置による出力色の均等色空間上の３変数色信号Ｓｃに最も近くなるように、第２の装置のＣＭＹＫの値を、任意に選択したＫに対してそれぞれ決定する第１のステップと、Ｋ毎に得られたこのＣＭＹＫの値の組合わせの中から最適なＣＭＹＫの値の組合わせを、前記３変数色信号Ｓｃを与えた第１の装置の出力色の分光分布Ｓｐを考慮した基準により決定する第２のステップ、を順に行うことにより決定するカラーマッチング方法による。【選択図】  図１
2004247967.tif 000002
【特許請求の範囲】
【請求項１】
第１のカラー出力装置の出力色に対して第２のカラー出力装置によりカラーマッチングを行う方法であって、
第１のカラー出力装置による出力色の均等色空間上の３変数色信号Ｓｃに対して、第２のカラー出力装置の出力色が均等色空間上で最も近くなるように、第２のカラー出力装置のＣＭＹＫの値を、任意に選択したＫ値に対してそれぞれ決定する第１のステップ、
Ｋ毎に得られたこのＣＭＹＫの値の組合わせの中から最適なＣＭＹＫの値の組合わせを、前記３変数色信号Ｓｃを与えた第１の装置の出力色の分光分布Ｓｐを考慮した基準により決定する第２のステップ、
を順に行うことにより決定し、このＣＭＹＫにより、第１のカラー出力装置から出力される色に対するカラーマッチングを行う方法。
【請求項２】
前記第２ステップの最適ＣＭＹＫの選択基準として、前記Ｓｃを与えた第１の装置の出力色の分光分布Ｓｐに最も近い分光分布の色を与える第２の出力装置のＣＭＹＫを決定する際、第２の出力装置により得られる色の分光分布と前記Ｓｐとの各波長における分光分布強度の差の自乗にその波長における分光視感効率を乗じた数値を可視波長域に渡って積分した値が最小であるＣＭＹＫを最適なＣＭＹＫと決定することを特徴とする請求項１に記載のカラーマッチング方法。
【請求項３】
前記第２ステップの最適ＣＭＹＫの選択基準として、前記Ｓｃを与えた第１の装置の出力色の特定の光源における均等色空間上の３変数色信号に、同一の光源下において最も近い均等色空間上の３変数色信号値を呈するＣＭＹＫの値の組合わせを最適なＣＭＹＫとすることを特徴とする請求項１に記載のカラーマッチング方法。
【請求項４】
前記第２ステップの最適ＣＭＹＫの選択基準として、前記Ｓｃを与えた第１の装置の出力色の複数種類の特定の光源における均等色空間上の３変数色信号値に平均的に最も近い均等色空間上の３変数色信号値を呈するＣＭＹＫの値の組合わせを最適なＣＭＹＫとすることを特徴とする請求項１に記載のカラーマッチング方法。
【請求項５】
請求項１に記載のカラーマッチング方法において、前記第２ステップの最適ＣＭＹＫの選択基準として、前記Ｓｃを与えた第１の装置の出力色の分光分布に最も近い分光分布の色を与える第２の出力装置のＣＭＹＫを決定する際、数１により計算したＤの値が最小となる色を出力するＣＭＹＫを最適なＣＭＹＫとすることを特徴とするカラーマッチング方法。
【請求項６】
第１のカラー出力装置が出力する色の均等色空間上の３変数色信号Ｓｃおよび分光分布データＳｐを入力し、第２のカラー出力装置で再現すべきＣＭＹＫの値を出力する第１のカラー出力装置の出力色にカラーマッチングさせた出力物を第２のカラー出力装置により得るための色変換装置であって、
重複しない複数のＫを生成するＫ情報生成部と、生成したそれぞれのＫについて前記Ｓｃに最も近い均等色空間上の３変数色信号の得られる第２の出力装置のＣＭＹＫ信号を算出するＣＭＹ演算部と、前記ＣＭＹ演算部が算出したＣＭＹＫにより第２の出力装置により出力される色の分光分布データを得る分光分布演算部と、前記分光分布演算部が算出した分光分布データと入力分光分布Ｓｐとの比較を行い、最適なＣＭＹＫの組合わせを与えるＫを決定する分光分布比較部と、最適なＣＭＹＫ組合わせを出力するＣＭＹＫ決定部と、を備えた色変換装置。
【請求項７】
請求項６に記載の色変換装置において、前記分光分布比較部は数１の計算式により算出した値が最小となるＣＭＹＫを最適なＣＭＹＫ組合わせとして選択することを特徴とする色変換装置。
【請求項８】
請求項６に記載の色変換装置において、前記分光分布比較部は前記Ｓｐを与える第１の出力装置の出力物を特定の光源下において観察した場合の均等色空間上の３変数色信号と、第２の出力装置により同一光源下で色差最小となる均等色空間上の３変数色信号を与えるＣＭＹＫを最適なＣＭＹＫとすることを特徴とする色変換装置。
【請求項９】
請求項８に記載の色変換装置において、前記分光分布比較部はＳｐを与える第１の出力装置の出力物とＣＭＹＫの組合わせにより第２の出力装置により得られる印刷物を、特定の複数種類の光源下において観察した場合の均等色空間上の３変数色信号のそれぞれの光源毎の色差の平均が最小となるＣＭＹＫを最適なＣＭＹＫとすることを特徴とする色変換装置。
【請求項１０】
請求項６から請求項９のいずれかの色変換装置の動作を実行するためのコンピュータに対する一連の命令を記述したコンピュータプログラム。
【発明の詳細な説明】
【０００１】
【発明の属する技術分野】
本発明は、異なる装置間のカラーマッチングにおいて、装置に依存しない均等色空間上の色情報を合わせることで、ＣＭＹＫ色信号成分で出力物を得るカラー出力装置のＣＭＹＫ値を得るための色変換処理に関するものである。
【０００２】
【従来技術】
印刷技術をはじめとする多くの色再現技術においては、通常シアン（Ｃ）、マゼンタ（Ｍ）、黄（Ｙ）、墨（Ｋ）の４色が使われる。墨を使うのは、ＣＭＹ３色ではインキの発色特性が理想ではなく、黒を黒くし無彩色部分の再現の安定性を図るため、及びＣＭＹ３色だけでは不十分なコントラストを補うためといった理由からである。カラー画像を処理する場合に、入出力装置の装置に依存する色信号を、ＣＩＥＬａｂ空間（１９７６ＣＩＥＬ＊ａ＊ｂ）など、ＣＩＥ（国際照明委員会）の定めた装置に依存しない均等色空間に変換してからカラー画像処理を行うカラーマネジメントの考えに沿ったカラー画像処理方法が多く実用化されている。
【０００３】
第１の装置の色をデジタルカラープリンタ等の第２のＣＭＹＫ信号出力装置で出力するカラーマッチングにこれらのカラー画像処理方法を適用したとき、第１の装置の色から変換されたＣＩＥＬａｂ空間の３変数色信号に対して、これにカラーマッチングする第２の装置のＣＭＹＫ４色色信号は一意に定まらないため、Ｋ保存やＫ発生、及び下色除去などの処理によってまず適切なＫを定めてからＣＭＹＫ色信号を導く必要がある。ここで、３変数色信号とは、均等色空間として１９７６ＣＩＥＬａｂを採用するのであれば、Ｌ＊ａ＊ｂ＊の３値で表される座標値である。また、ＣＭＹＫ信号出力装置とは、ＣＭＹＫの４色の色材を用いＣＭＹＫ各色を表す物理量またはデジタル値により出力色を制御する出力装置を一般にいうものとする。尚、ＣＭＹＫ色信号とは、ＣＭＹＫ各色を表すなんらかの物理量またはデジタル値を意味する。
【０００４】
最適なＫを決定する方法としては、これまでにも様々な方法が知られている。特許文献１、特許文献２に開示される方法では、入力色信号に対応するＣＭＹの最小値にＵＣＲ（Ｕｎｄｅｒ  Ｃｏｌｏｒ  Ｒｅｍｏｖａｌ）率をかけることでＫを定める。また、特許文献３に開示される方法では、入力信号の明度成分、色相成分、彩度成分をもとに任意の係数を用いた演算を行うことでＫを定める。また、第１の装置がＣＭＹＫ信号出力装置であれば、このＫ成分情報を利用してＫを決定（Ｋ保存）する方法も一般的に知られている。
【０００５】
また最近では、異なる光源の観察条件下でも高精度なマッチング画像を得るカラーマッチングの方法も考えられている。特許文献４に開示される方法では、分光分布から得られる観察時の照明光源での色彩値を利用し、指定の異光源下で高精度なカラーマッチング画像を得ることができる。さらに特許文献５に開示される方法では、分光分布を直接マッチングさせることで様々な光源に対応したカラーマッチング画像が得られ、実用化もされ始めてきた。
【０００６】
【特許文献１】
特開平０５−１２４２３４号公報
【特許文献２】
特開平１０−２１０２７７号公報
【特許文献３】
特開２００１−８６３６０号公報
【特許文献４】
特開平７−９５４２４号公報
【特許文献５】
特開２００２−１５８８８４号公報
【０００７】
【発明が解決しようとする課題】
Ｋ保存やＫ発生、及び下色除去を行い、ＣＩＥＬａｂ空間などの均等色空間でカラーマッチングすることでＣＭＹＫ色信号を決定した場合、一定光源の観察条件下の均等色空間信号でのマッチングであるため、異なる光源の観察条件のもとでは見た目の色が一致しないといった現象が発生していた。さらにこの方法で高精度なマッチングを行うには、装置の種類や特性に応じた適切なパラメータを定める必要があり、このパラメータを定めるためには技術や経験が必要とされた。また、分光分布をマッチングさせるカラーマッチング方法では、分光分布特性の大きく異なる装置間で分光分布を一致させるのは不可能であるため、良好なマッチングが得られないという現象が発生していた。
【０００８】
本発明はこのような問題点を考慮してなされたものであり、２種類の装置間のカラーマッチングにおいて、パラメータ決定のための技術や経験を必要とせず、分光分布特性の異なる装置間でも所定光源の観察条件下で高精度なマッチング画像が得られ、なおかつ光源の異なる観察条件下においても見た目の精度良好なカラーマッチング結果が得られる色変換方法を提供することを課題とする。
【０００９】
【課題を解決するための手段】
上記課題を解決するための第１の発明は、第１のカラー出力装置の出力色に対して第２のカラー出力装置によりカラーマッチングを行う方法であって、その基本的アイデアは、第１のカラー出力装置の出力色の均等色空間上の３変数色信号Ｓｃから、これに対応する第２の装置のＣＭＹＫを決定する際、予め生成した第２の装置の任意の複数のＫ値について、それぞれ前記Ｓｃに同じかあるいは最も近い出力色を得る第２の装置のＣＭＹＫ組合せを算出し、Ｋ毎に得られたＣＭＹＫ組合せに対応する第２の装置の分光分布信号ＳｐＫと、第１の装置の前記出力色の分光分布信号Ｓｐとを比較考慮して最終的に最適なＣＭＹＫを決定するというものである。
【００１０】
すなわち、まず、第１ステップとして、重複しない複数のＫの値を生成し、それぞれのＫ値について、第２の装置の出力物が均等色空間上で、与えられた３変数色信号Ｓｃに最も近くなるような第２の装置のＣＭＹＫ信号を算出する。次に第２ステップとして、Ｋ毎に得られた前記ＣＭＹＫ信号に対し、それぞれ対応する分光分布信号ＳｐＫを算出する。次に、Ｋ毎に得られたＣＭＹＫ信号の組合わせの中から、前記３変数色信号Ｓｃを与えた第１の装置の出力色の分光分布Ｓｐに最も近いＳｐＫを呈する色を第２の出力装置にて出力するＣＭＹＫの値の組合わせを最適なＣＭＹＫとするものである。このような基準で決定されたカラーマッチングは、様々な色味の照明光源の下でも、概ね良好な結果を得ることができる。
【００１１】
分光分布信号同士の近さの尺度としては、１つの分光分布信号を表す各波長毎の値を多次元ベクトルと考えて、２つのベクトルＳｐ、ＳｐＫのユークリッド距離を近さの尺度として用いればよい。またそのような単純なユークリッド距離ではなく、各波長域毎の分光視感効率で重み付けした距離を用いてもよい。より人間の視覚の感度に合致した近さの尺度となるので、単純なユークリッド距離によるマッチングよりもより望ましい結果が期待できる。
【００１２】
もしくは、Ｓｐ、ＳｐＫから特定の種類の光源における均等色空間上の３変数色信号をそれぞれ計算し、それらの色差が最小となるＣＭＹＫ組合わせを選択してもよい。あるいは、基準とする光源を複数種類決めて、それぞれの光源下で得られるであろう均等色空間上の３変数色信号による色差の平均値が最も小さいＣＭＹＫ組合わせを選択してもよい。
【００１３】
上記課題を解決するための第２の発明は、第１の発明の方法を具現化した色変換装置である。第１のカラー出力装置が出力する色の均等色空間上の入力３変数色信号Ｓｃおよび分光分布データＳｐを入力し、第２の出力装置でカラーマッチングされた出力を得るための最適なＣＭＹＫ信号を得る色変換装置であって、
重複しない複数のＫを生成するＫ情報生成部と、
生成したそれぞれのＫについて均等色空間上の入力３変数色信号Ｓｃに最も近い３変数色信号の得られる第２の出力装置のＣＭＹＫ信号を算出するＣＭＹ演算部と、
前記ＣＭＹ演算部が算出したＣＭＹＫにより第２の出力装置により出力される色の分光分布データを得る分光分布演算部と、
前記分光分布演算部が算出した分光分布データと入力分光分布Ｓｐとの比較を行い、最適なＣＭＹＫ組合わせを与えるＫを決定する分光分布比較部と、
を備えることを特徴とする。
【００１４】
上記課題を解決するための第３の発明は、第２の発明に係る色変換装置をコンピュータ上で実現するためのコンピュータに対する一連の命令を記述したコンピュータプログラムである。
【００１５】
【発明の実施の形態】
以下図面を用いて、本発明の実施の形態を詳細に説明する。図１は、第１のＣＭＹＫ出力装置Ｘで出力される色を第２のＣＭＹＫ出力装置Ｙで再現する色変換方法として本発明の方法を用いたときの色変換装置１の全体構成を示すブロック図である。色変換装置１は、Ｋ情報生成部１１、ＣＭＹ演算部１２、分光分布演算部１３、分光分布比較部１４、ＣＭＹＫ決定部１５から構成される。第１のＣＭＹＫ出力装置Ｘで出力される色Ｓの均等色空間上の３変数色信号をＳｃ、その分光分布をＳｐで表し、このＳｃ及びＳｐを色変換装置１に入力することで、第２のＣＭＹＫ出力装置Ｙで出力するためのＣＭＹＫ信号に変換する。尚、３変数色信号Ｓｃは均等色空間として１９７６ＣＩＥＬａｂを採用すればＬ＊ａ＊ｂ＊の３値で表される。
【００１６】
［実施例１］  Ｋ情報生成部１１では、重複しない任意の値Ｋ＝Ｋ１〜Ｋｎ（ｎは２以上の整数）を生成する。例えばｊ＝１〜１００に対してＫ１＝１％、Ｋ２＝２％、・・、Ｋ１００＝１００％などとする。ＣＭＹ演算部１２では、入力されたＳｃ  （Ｌ＊ａ＊ｂ＊）に対し、Ｋ＝Ｋ１、Ｋ２、・・で固定したときのＳｃ  に近い均等色空間上の座標値を与えるＣＭＹ値を算出し、得られたＣＭＹＫ値をＣｊＭｊＹｊＫｊ（ｊ＝１，２，…，ｎ）とする。ＣＭＹ演算部１２では、ＣＭＹＫチャートデータとこのチャートを第２のＣＭＹＫ出力装置Ｙで出力したときのＬ＊ａ＊ｂ＊測色値とが対応づけられたテーブルを内蔵しており、１組のＬ＊ａ＊ｂ＊とＫ（＝Ｋ１〜Ｋｎ）を与えることで対応する１組のＣＭＹを得ることができるようになっている。例えば、ＣＭＹ演算部１２に不揮発メモリを設け、ＣＭＹＫの組合わせに応じて決定されるアドレスに対応するＬ＊ａ＊ｂ＊の値を記録しておけばよい。
【００１７】
分光分布演算部１３は、ＣＭＹ演算部１２において得られたＣｊＭｊＹｊＫｊ（ｊ＝１，２，…，ｎ）に対して、それぞれのＣＭＹＫ組合わせに対応する分光分布Ｓｐ１，Ｓｐ２，…，Ｓｐｎを出力する。分光分布演算部１３には不揮発メモリが備えられており、ＣＭＹＫチャートデータとこのチャートを第２のＣＭＹＫ出力装置Ｙで出力したときの分光分布測定データとを対応付けたテーブルが、ＣＭＹＫの組合わせに応じた番地に対応する分光分布測定データが記録されている形で内蔵されている。したがって１組のＣＭＹＫを与えることで対応する１つの分光分布を得ることができる。ここで分光分布測定データは、可視波長域における波長毎または適当な幅の波長域毎の反射率の測定値の列として表現されるデータである。第２のＣＭＹＫ出力装置によりあるＣＭＹＫの組合わせにより出力された色の分光分布測定データを単にそのＣＭＹＫの分光分布ということにする。
【００１８】
分光分布比較部１４は、入力された分光分布Ｓｐと分光分布演算部１３により得られた分光分布Ｓｐ１〜Ｓｐｎとの近さの度合をそれぞれ数１によって求め、最小となるＤを与えるｊ（１≦ｊ≦ｎ）を求める。図２は、その様子を表すグラフである。縦軸には数１で計算したＤを、横軸にはｊ＝１，２，…，ｎをそれぞれとったグラフである。
【数  １】
2004247967.tif 000003
ただし、数１で、λは光の波長（λ＝３８０ｎｍ〜７８０ｎｍ）、Ｖ（λ）は分光視感効率（「色彩工学」太田登薯  ｐ．１２）、Ｎは１〜ｎ、Ｓｐ（λ）及びＳｐＮ（λ）は波長λにおける各分光分布強度とする。数１では、分光分布に対する目の感度を考慮し、各分光分布に対して係数Ｖ（λ）をかけている。
【００１９】
ＣＭＹＫ決定部１５では、分光分布比較部１４が決定したｊによりＣｊＭｊＹｊＫｊを、求めるＣＭＹＫとして出力する。
【００２０】
［実施例２］  次に実施例１の変形例を実施例２として説明する。図１のブロック図で表される実施例１と同様の色変換装置において、分光分布比較部１４は、入力された分光分布ＳｐについてＦ７（ＣＩＥ１９８６で推奨する蛍光ランプ  東京電機大学出版局  太田登著「色彩光学」  Ｐ．２３７及びＰ．２９９）照明光の下でのＣＩＥＬａｂを表すＬ＊ａ＊ｂ＊Ｆ７を算出し、分光分布Ｓｐ１〜Ｓｐｎについても同様にＦ７照明光の下でのＣＩＥＬａｂを表すＬ＊１ａ＊１ｂ＊１Ｆ７〜Ｌ＊ｎａ＊ｎｂ＊ｎＦ７を算出し、さらにこれらの色差ΔＥ１Ｆ７〜ΔＥｎＦ７を  数２
【数  ２】
2004247967.tif 000004
ただし、Ｎは１〜ｎとする。
によってそれぞれ求めて、この色差が最小となるときのＫを算出し、得られたＫを与えるｊ（１≦ｊ≦ｎ）を求める。図３は、その様子を表すグラフである。縦軸にはＦ７照明光の下での色差を、横軸にはｊ＝１，２，…，ｎをそれぞれとったグラフである。
【００２１】
ＣＭＹＫ決定部１５では、分光分布比較部１４が決定したｊによりＣｊＭｊＹｊＫｊを、求めるＣＭＹＫとして出力する。
【００２２】
Ｆ７照明光源下でのＣＩＥＬａｂの算出方法を次に示す。ＣＩＥＬａｂは三刺激値ＸＹＺより既知の計算式で算出される。Ｆ７照明光の下での三刺激値ＸＹＺは、Ｆ７の分光分布Ｐ（λ）及び人間の目に対する等色関数ｘ（λ）、ｙ（λ）、ｚ（λ）を用い、可視光波長の範囲を３８０ｎｍ〜７８０ｎｍとして、数３により算出される。
【数  ３】
2004247967.tif 000005
【００２３】
［実施例３］  次に実施例２の変形例を実施例３として説明する。実施例１と同様の色変換装置（図１）において、分光分布比較部１４は、入力された分光分布Ｓｐについて、Ｆ２、Ｆ７、Ｆ１１（いずれもＣＩＥ１９８６で推奨する蛍光ランプ  東京電機大学出版局  太田登著「色彩光学」  Ｐ．２３７及びＰ．２９９）照明光の下でのそれぞれのＣＩＥＬａｂを表すＬ＊ａ＊ｂ＊Ｆ２、Ｌ＊ａ＊ｂ＊Ｆ７、Ｌ＊ａ＊ｂ＊Ｆ１１を算出し、分光分布Ｓｐ１〜Ｓｐｎについても同様にＦ２、Ｆ７、Ｆ１１照明光の下でのそれぞれのＣＩＥＬａｂを表すＬ＊１ａ＊１ｂ＊１Ｆ２〜Ｌ＊ｎａ＊ｎｂ＊ｎＦ２、Ｌ＊１ａ＊１ｂ＊１Ｆ７〜Ｌ＊ｎａ＊ｎｂ＊ｎＦ７、Ｌ＊１ａ＊１ｂ＊１Ｆ１１〜Ｌ＊ｎａ＊ｎｂ＊ｎＦ１１を算出し、さらにこれらの色差ΔＥ１Ｆ２〜ΔＥｎＦ２、ΔＥ１Ｆ７〜ΔＥｎＦ７、ΔＥ１Ｆ１１〜ΔＥｎＦ１１を式２によってそれぞれ求めて、これらの平均値ΔＥ１ａｖｅ〜ΔＥｎａｖｅを各ｊ（１≦ｊ≦ｎ）について求める。この様子を図５に示す。そして、最小のΔＥｊａｖｅを与えるｊ（１≦ｊ≦ｎ）を求める。この様子を図４のグラフに示す。縦軸にはΔＥｊａｖｅを、横軸にはｊ＝１，２，…，ｎをそれぞれとったグラフである。
【００２４】
ＣＭＹＫ決定部１５では、分光分布比較部１４が決定したｊによりＣｊＭｊＹｊＫｊを、求めるＣＭＹＫとして出力する。
【００２５】
Ｆ２、Ｆ７、Ｆ１１照明光の下でのＣＩＥＬａｂの算出方法は実施例２と同様の方法で可能であり、数３を用いて算出する。このとき、ＸＹＺは各照明光の下での三刺激値、Ｐ（λ）は各照明光の分光分布とする。
【００２６】
上記［実施例１］、［実施例２］、［実施例３］の、色変換装置１は、コンピュータ上で、Ｋ情報生成部１１、ＣＭＹ演算部１２、分光分布演算部１３、分光分布比較部１４、ＣＭＹＫ決定部１５の各機能を実現する命令を記述したコンピュータプログラムを実行させることによりコンピュータを色変換装置１として動作させることができる。
【００２７】
【発明の効果】
上記手段によってＣＭＹＫ色信号を決定することで、３変数色信号においてマッチングされたＣＭＹＫデータが得られ、さらに分光分布においても近似度の高い出力物の得られるＣＭＹＫデータが得られるため、分光分布特性の異なる装置間でも所定光源の観察条件下で高精度なマッチング画像が得られ、なおかつ光源の異なる観察条件下においても見た目の精度が良好なカラーマッチング画像が得られる。また、Ｋ発生等に関する任意指定パラメータの入力を一切必要としないため、パラメータを決定するための技術や経験を必要としない色変換指示が可能となるという顕著な効果を奏する。
【図面の簡単な説明】
【図１】本発明の一実施形態としての色変換装置１のブロック構成図である。
【図２】実施例１の分光分布比較部１４の動作を説明する図である。
【図３】実施例２の分光分布比較部１４の動作を説明する図である。
【図４】実施例３の分光分布比較部１４の動作を説明する図である。
【図５】実施例３の分光分布比較部１４の動作を説明する図である。
【符号の説明】
１          色変換装置
１１      Ｋ情報生成部
１２      ＣＭＹ演算部
１３      分光分布演算部
１４      分光分布比較部
１５      ＣＭＹＫ決定部
【図１】
2004247967.tif 000006
【図２】
2004247967.tif 000007
【図３】
2004247967.tif 000008
【図４】
2004247967.tif 000009
【図５】
2004247967.tif 000010